(57)【特許請求の範囲】
【請求項１】
外殻体内に断熱材を充填してなる断熱パネルを複数枚組み付けることで箱形の貯蔵庫本体が形成され、かつ互いに直交して隣接する断熱パネルの間では、一の断熱パネルの端縁の内面に他の断熱パネルの端面が当てられ、前記一の断熱パネルの外面から差し込んだネジを前記他の断熱パネルの端面にねじ込むことで固定されたものにおいて、
前記一の断熱パネルにおけるネジの差し込み部分には、このネジが挿通されるネジ挿通体が埋設可能とされ、かつ、前記一の断熱パネルにおける前記ネジ挿通体の埋設部分では、前記外殻体の対向する二面にそれぞれ前記ネジ挿通体の両端が嵌合可能な嵌合孔が開口されており、前記ネジ挿通体には、少なくともいずれか一方の嵌合孔における差し込み方向の手前側の口縁に当接可能なフランジが設けられるとともに、このフランジまたは前記嵌合孔における前記差し込み方向の奥側の口縁の少なくともいずれか一つに弾性的に係止して前記ネジ挿通体を抜け止め状態とする係止部位が備えられていることを特徴とする冷却貯蔵庫。
【請求項２】
前記ネジ挿通体は、前記ネジの軸部を挿通する挿通孔の一端側に、このネジの頭部を受けて収容する収容凹部が連設された筒状をなし、この収容凹部の開口に被着されるキャップが備えられていることを特徴とする請求項１記載の冷却貯蔵庫。
【発明の詳細な説明】
【０００１】
【発明の属する技術分野】
本発明は、複数枚の断熱パネルを組み付けて貯蔵庫本体を形成してなる冷却貯蔵庫に関する。
【０００２】
【従来の技術】
プレハブ式の冷蔵庫では、複数枚の断熱パネルを組み付けて前面開口の箱形をなす冷蔵庫本体を形成している。断熱パネルの組み付けは、例えば箱の角となる部分において、互いに直交して隣接する断熱パネルの間をネジで締結しており、具体的には図９に示すようである。
まず断熱パネル１は、ステンレス鋼板製の内装板２と外装板３との開口縁にチャンネル形やほぼ平板形をなす樹脂枠４，５を装着して、内部に発泡ウレタン等の断熱材６を充填した構造となっている。そして例えば、一の断熱パネル１Ａの端縁の樹脂枠４における外側の側板４Ａに取付孔７が開口されるとともに、この一の断熱パネル１Ａの樹脂枠４の内側の側板４Ｂに、他の断熱パネル１Ｂの端面を構成する樹脂枠５が当てられ、取付孔７から差し込んだコーチスクリュ８を一の断熱パネル１Ａの樹脂枠４の内側の側板４Ｂと他の断熱パネル１Ｂの樹脂枠５との重なった部分にねじ込むことで固定するようになっている。
【０００３】
【発明が解決しようとする課題】
しかしながら従来のものでは、以下のような欠点がある。コーチスクリュ８の軸部は断熱材６中に埋め込まれているが、断熱材６中は所定の温度勾配で外気に比べて低温状態にあるからコーチスクリュ８が冷却され、外部に露出した頭部８Ａで結露して錆び付き等の原因となる。これを避けるには、コーチスクリュ８の頭部８Ａを覆うカバーを付けることが考えられるが、冷蔵庫本体の外面に突出した部分が多数箇所できて、見栄えが良くないという問題がある。
また樹脂枠４の中は断熱材６が充填されているだけであるから、コーチスクリュ８のねじ込みに伴って頭部８Ａが樹脂枠４の外側の側板４Ａを押さえてこれを凹み変形させるおそれがある。変形が大きいと向きによってはそこに水が溜まり、取付孔７から断熱材６中に浸水して断熱性を低下させるおそれがあった。
本発明は上記のような事情に基づいて完成されたものである。
【０００４】
【課題を解決するための手段】
請求項１の発明は、外殻体内に断熱材を充填してなる断熱パネルを複数枚組み付けることで箱形の貯蔵庫本体が形成され、かつ互いに直交して隣接する断熱パネルの間では、一の断熱パネルの端縁の内面に他の断熱パネルの端面が当てられ、前記一の断熱パネルの外面から差し込んだネジを前記他の断熱パネルの端面にねじ込むことで固定されたものにおいて、前記一の断熱パネルにおけるネジの差し込み部分には、このネジが挿通されるネジ挿通体が埋設可能とされ、かつ、前記一の断熱パネルにおける前記ネジ挿通体の埋設部分では、前記外殻体の対向する二面にそれぞれ前記ネジ挿通体の両端が嵌合可能な嵌合孔が開口されており、前記ネジ挿通体には、少なくともいずれか一方の嵌合孔における差し込み方向の手前側の口縁に当接可能なフランジが設けられるとともに、このフランジまたは前記嵌合孔における前記差し込み方向の奥側の口縁の少なくともいずれか一つに弾性的に係止して前記ネジ挿通体を抜け止め状態とする係止部位が備えられている構成としたところに特徴を有する。
【０００５】
請求項２の発明は、請求項１に記載のものにおいて、前記ネジ挿通体は、前記ネジの軸部を挿通する挿通孔の一端側に、このネジの頭部を受けて収容する収容凹部が連設された筒状をなし、この収容凹部の開口に被着されるキャップが備えられているところに特徴を有する。
【０００６】
【発明の作用及び効果】
＜請求項１の発明＞
ネジ挿通体を一の断熱パネルにおける外殻体の対向した二面を貫通するようにして嵌合孔に差し込むと、少なくとも一方の嵌合孔の手前側の口縁にフランジが当たって押し込みが停止され、そのとき嵌合孔の奥側の口縁とフランジの少なくとも一つに、弾性部位が弾性的に係止し、ネジ挿通体が押し引き不能に取り付けられる。ネジ挿通体にネジが挿通され、他の断熱パネルの端面にねじ込まれることで、両断熱パネルの当接部分が固定される。
ネジ挿通体を外殻体内に取り付ける作業をワンタッチで簡単に行え、また定位置に取り付けることができる。ネジを差し込むための孔がネジ挿通体の内部に形成されているから、孔が位置ずれしなくて、相手の断熱パネル側との位置合わせも簡単にでき、ネジのねじ込み作業ひいては組付作業を能率良く行うことができる。
【０００７】
＜請求項２の発明＞
ネジがネジ挿通体を通してねじ込まれ、頭部は収容凹部に収められる。そののち、収容凹部にはキャップが被せられる。
ネジの頭部が外気に曝されることがないから、仮にネジが冷却されたとしても頭部で結露することがなく、錆び付き等がより確実に防止される。ネジの頭部をネジ挿通体の収容凹部の座で受ける構造であるから、ネジの差し込み部分において、外殻体がネジの頭部で押されて変形を来すおそれが無い。
【０００８】
【発明の実施の形態】
以下、本発明の一実施形態を図１ないし図１０に基づいて説明する。
この実施形態ではプレハブ式の冷蔵庫を例示しており、図１及び図２に示すように、前面開口の箱形をなして内部を貯蔵室１１とした冷蔵庫本体１０を備え、底面に配された脚１２によって支持されているとともに、前面開口の出入口１３に左右一対の扉１４が観音開き式に装着されている。
冷蔵庫本体１０の上面には冷却器室１６が設けられ、この中に冷却器１７と庫内ファン１８とが装備されており、冷却器１７は同じく冷蔵庫本体１０の上面に設置された冷凍装置（図示せず）と冷媒配管により接続されている。そして、冷凍装置並びに庫内ファン１８が駆動されると、図２の矢線に示すように、庫内空気が吸込口１９から冷却器室１６内に引かれ、冷却器１７を通過する間に生成された冷気が、吹出ダクト２０から左側面に沿うように吹き出されて上記の吸込口１９に向かうといった循環流が生じ、貯蔵室１１内が冷却されるようになっている。
【０００９】
続いて、冷蔵庫本体１０の構造並びに組み立て手順について説明する。
冷蔵庫本体１０は、図３に示すように、天井パネル２１、床パネル２２、左右の側面パネル２３及び２分割された背面パネル２４の合計６枚の断熱性のパネルを備えている。このうち、両側面パネル２３の内面では、手前側の縁部を除いた他の三縁が一段引っ込んだ段付状に形成されている。また両背面パネル２４の内面では、上下両縁が一段引っ込んだ段付状に形成されている。なお天井パネル２１には、上記した冷却器室１６と連通する開口２７が形成されている。
そして、詳しくは後記するが、床パネル２２の左右の側縁と奥縁に、側面パネル２３と背面パネル２４の下側の段付部２６を嵌めて立て、また側面パネル２３と背面パネル２４の上側の段付部２６に天井パネル２１を嵌めて載せ、それらの重なり部分にコーチスクリュ３８を締め付けることで固定するようになっている。
【００１０】
ここで上記の固定構造を、側面パネル２３の下端と床パネル２２の左右の側縁との間を例に挙げて説明する。
側面パネル２３は、図４及び図５に示すように、外装板３０と内装板３１と４本の樹脂枠３２，３３とを備えている。外装板３０と内装板３１とはともにステンレス鋼板製であって、周囲に側壁を立てたほぼ方形の浅皿状に形成されているが、内装板３１の方が外装板３０に比べて一回り小さくかつ底も浅く形成されていて、所定間隔を開けて互いに向かい合わせに配置される。
【００１１】
樹脂枠のうちの上下両縁および奥縁に配される３本の樹脂枠３２は、側面パネル２３の段付部２６を構成するものである。この樹脂枠３２は、図５に示すように、外側（同図の下側）の端縁に、外装板３０の側壁３０Ａの先端部が差し込み可能な差込溝３５が形成されるとともに、内側の端縁に、内装板３１の側壁３１Ａがほぼ全高にわたって差し込み可能な差込溝３６が形成されている。これらの３本の樹脂枠３２は、図４に示すように、直角に突き合わされる端部が４５度の角度を付けて切断されている。
なお、手前側の縁部に配される残りの樹脂枠３３は、ほぼチャンネル形に形成されていて、図３に示すように、内装板３１と、外装板３０における手前側の側壁３０Ｂとにそれぞれ面一となって組み付けられるようになっている。
【００１２】
側面パネル２３の上下両縁には手前側と奥側の端部の２箇所ずつに、また奥縁には上下両端部と中央部との３箇所に、それぞれコーチスクリュ３８の差し込み位置が設けられている。このコーチスクリュ３８は、図７に示すように、頭部３９をスパナで回すような大型の木ネジであって、軸部４０の先端が先細りとなってそこに雄ネジ４１が切られている。各差し込み位置には、それぞれネジ挿通体４３が埋設されている。
【００１３】
このネジ挿通体４３は合成樹脂製であって、全体としては図６にも示すように、小径筒部４４の後端側に大径筒部４５が同心に連設された段付きの円筒状に形成されており、小径筒部４４の内部がコーチスクリュ３８の軸部４０を挿通可能な挿通孔４６に、大径筒部４５の内部がコーチスクリュ３８の頭部３９を収容可能な収容凹部４７となっており、収容凹部４７の奥面における挿通孔４６の入口の回りが、頭部３９を受ける座面４８となっている。
一方、外装板３０における差し込み位置には、図５に示すように、それぞれネジ挿通体４３の大径筒部４５をクリアランスを持って嵌合可能な表側嵌合孔５０が開口されているとともに、樹脂枠３２には、ネジ挿通体４３の小径筒部４４にほぼ緊密に嵌合可能な裏側嵌合孔５１が同心に対応して開口されている。
【００１４】
それに対してネジ挿通体４３には、大径筒部４５の後縁に、表側嵌合孔５０におけるコーチスクリュ３８の差し込み方向の手前側の口縁に当接可能な大フランジ５２が形成されているとともに、小径筒部４４の先端から少し後方に戻った位置の外周に、裏側嵌合孔５１の同差し込み方向の手前側の口縁に当接可能な小フランジ５３が形成されている。
また、大径筒部４５の奥側の外周面からは、上記の表側嵌合孔５０におけるコーチスクリュ３８の差し込み方向の裏側の口縁に係止可能な弾性係止片５４が、複数本等角度間隔を開けて形成されている。さらに、樹脂枠３２の内面における裏側嵌合孔５１の回りには、ネジ挿通体４３の小フランジ５３の外周に掛止可能な弾性掛止鈎５５が、複数本等角度間隔を開けて立てられている。
さらに、図７に示すように、ネジ挿通体４３の収容凹部４７に嵌められるキャップ５７が備えられている。このキャップ５７は合成樹脂製であって、収容凹部４７内に圧入される円筒部５８の一面に蓋５９が形成された形状である。
【００１５】
組み付けの際には、上記したように側面パネル２３の段付部２６である樹脂枠３２に、床パネル２２の左右の端面が当てられるようになっており、その端面におけるコーチスクリュ３８がねじ込まれる位置に、下孔６１が開けられている。床パネル２２は詳細には、図７に示すように、外装板６２と内装板６３とが所定間隔を開けて対向して配され、左右及び奥の端面では樹脂枠６４が装着されて、内部に断熱材６５が充填されている。樹脂枠６４は、外装板６２と内装板６３の端縁の間を塞ぐ閉鎖板６６と、その奥方において両板６２，６３の間のつっかいとなる宛い板６７とを連結部６８で繋いだ断面略Ｈ形に形成されていて、その連結部６８におけるねじ込み位置に、閉鎖板６６側から奥細りとなった上記の下孔６１が形成されている。
【００１６】
なお、他のパネルにおけるコーチスクリュ３８の差し込み位置が設けられた部分、すなわち背面パネル２４の上下両縁の段付部２６は、上記した側面パネル２３の段付部２６と同様の構造であり、また、他のパネルにおけるコーチスクリュ３８がねじ込まれる下孔６１の開けられた面、すなわち天井パネル２１の左右及び奥の端面と、背面パネル２４の外側の端面では、上記した床パネル２２の端面と同様の構造となっている。
【００１７】
続いて、冷蔵庫本体１０の組み付けを中心として本実施形態の作用を説明する。例えば、側面パネル２３は以下のようにして形成される。まず、外装板３０の４つの周縁の裏面側に樹脂枠３２，３３が取り付けられる。そのうち、上下及び奥の樹脂枠３２では、図５に示すように、差込溝３５が外装板３０の側壁３０Ａの先端に差し込まれる。
次に、ネジ挿通体４３が、外装板３０の表側嵌合孔５０に差し込まれる。ネジ挿通体４３は、途中から弾性係止片５４の先端を窄み変形させ、また弾性掛止鈎５５の先端を開き変形させつつ押し込まれ、小径筒部４４が樹脂枠３２の裏側嵌合孔５１に嵌まって小フランジ５３がその口縁に当たり、また表側嵌合孔５０の口縁に大フランジ５２が当たることで押し込みが停止される。そのとき、図７に示すように、弾性係止片５４が復元変形して表側嵌合孔５０の裏側に係止し、また弾性掛止鈎５５が小フランジ５３に掛止することで、ネジ挿通体４３は抜け止め状態に固定される。
続いて樹脂枠３２の差込溝３６に内装板３１の側壁３１Ａが差し込まれて外殻体７０が形成され、係る状態で発泡ウレタン等の断熱材６５が充填される。他のパネルについても、同様にあるいは既述した通りに形成される。
【００１８】
組立に当たっては、まず床パネル２２の左右の側縁と奥縁に、側面パネル２３と背面パネル２４の下側の段付部２６を嵌めて立てる。このとき図８に示すように、側面パネル２３または背面パネル２４に埋設されたネジ挿通体４３と、床パネル２２の端面に開口された下孔６１とを合わせる。次に、各ネジ挿通体４３の収容凹部４７側からコーチスクリュ３８を差し込んでその奥の下孔６１に入れ、ネジを切りながら締め付ける。この場合は、緩く締めておく。次に、側面パネル２３と背面パネル２４の上端側を少し広げた状態として、それらの上側の段付部２６に天井パネル２１を嵌めて載せる。ここでも、ネジ挿通体４３にコーチスクリュ３８を通してその奥の下孔６１にネジを切りながら締め付け、先の緩めに締め付けた位置も含めて、全取付位置においてコーチスクリュ３８を堅く締め付けて固定する。
最後に、各ネジ挿通体４３の収容凹部４７の開口にキャップ５７を嵌めて閉鎖する。
【００１９】
以上のように本実施形態によれば、以下のような数々の利点を得ることができる。
コーチスクリュ３８をネジ挿通体４３に通し、特にその頭部３９を収容凹部４７に収めてキャップ５７で覆うようにしたから、コーチスクリュ３８の頭部３９が外気に曝されない。したがって仮にコーチスクリュ３８が冷却されたとしても頭部３９で結露することがなく、錆び付き等が防止される。しかも、コーチスクリュ３８の頭部３９を収容した収容凹部４７はパネル２３，２４内に埋設され、この収容凹部４７の開口にキャップ５７が被せられているのであるから、パネル２３，２４の外面すなわち冷蔵庫本体１０の外面に出っ張りの少ないすっきりとした外観にまとまる。
【００２０】
コーチスクリュ３８の頭部３９をネジ挿通体４３の収容凹部４７の座面４８で受ける構造であるから、コーチスクリュ３８のねじ込み部分において、例えばパネル２３，２４の外装板３０において頭部３９が当たる周囲で変形を来すおそれが無い。
またネジ挿通体４３をパネル２３，２４に取り付ける作業をワンタッチで簡単に行え、かつ定位置に取り付けることができる。コーチスクリュ３８を挿通するための孔がネジ挿通体４３の内部に形成されているから、孔が位置ずれしなくて、相手のパネル２１，２２，２４の下孔６１との位置合わせも簡単にでき、コーチスクリュ３８のねじ込み作業ひいては冷蔵庫本体１０の組付作業を能率良く行うことができる。
【００２１】
パネル２３，２４を形成するに当たり、ネジ挿通体４３が内装板３１を組み付ける際の樹脂枠３２の倒れ込みを防ぎ、隣り合う樹脂枠３２の角の突き合わせ部分がずれることに起因して発泡ウレタンが洩れるといったことが防がれる。
また、ネジ挿通体４３が重量負荷を受ける機能を果たして、例えばパネルをより堅牢とすべく内装板３１にさらに厚板のものを使用することが可能となる。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）コーチスクリュのねじ込み位置は上記実施形態に例示したものに限らず、適宜に変更してもよい。
（２）ネジ挿通体に設けたフランジはいずれか一方だけでもよく、またネジ挿通体を抜け止め状態に係止する弾性係止片と弾性掛止鍔もいずれ一方のみを設けるようにしてもよい。
（３）パネル同士の当接部分を固定するネジ手段としては、他にボルト等を利用してもよい。
【図面の簡単な説明】
【図１】本発明の一実施形態に係るプレハブ冷蔵庫の正面図
【図２】扉を外した状態の冷蔵庫の一部切欠正面図
【図３】冷蔵庫本体の分解斜視図
【図４】側面パネルの外殻体の分解斜視図
【図５】ネジ挿通体の埋設部分の分解断面図
【図６】ネジ挿通体の斜視図
【図７】コーチスクリュのねじ込み前の断面図
【図８】ねじ込み完了後の断面図
【図９】従来例の断面図
【符号の説明】
１０…冷蔵庫本体
２２…床パネル
２３…側面パネル
２６…段付部
３０…外装板
３１…内装板
３２…樹脂枠
３８…コーチスクリュ
３９…頭部
４０…軸部
４１…雄ネジ
４３…ネジ挿通体
４６…挿通孔
４７…収容凹部
４８…座面
５０，５１…嵌合孔
５２，５３…フランジ
５４…弾性係止片
５５…弾性掛止鈎
５７…キャップ
６１…下孔
６２…外装板
６３…内装板
６４…樹脂枠
６５…断熱材
７０…外殻体
【図１】
0003745585.tif 000002
【図２】
0003745585.tif 000003
【図３】
0003745585.tif 000004
【図４】
0003745585.tif 000005
【図５】
0003745585.tif 000006
【図６】
0003745585.tif 000007
【図７】
0003745585.tif 000008
【図８】
0003745585.tif 000009
【図９】
0003745585.tif 000010